(57)【特許請求の範囲】
【請求項１】
おむすびやお惣菜等を入れて持ち運びされる三角形あるいは俵形、長方形、菱形などの形状の食品ケースであって、該食品ケースの略中央部でケース本体とケース蓋体とに２分割されており、上記ケース本体とケース蓋体の合わせ面の内、ケース本体とケース蓋体のいずれか一方に適宜高さの嵌合用凸縁部が形成され、他方に上記嵌合用凸縁部に嵌着される嵌着縁面が形成されているとともに、該嵌合用凸縁部外面又は嵌着縁面内面に係止突起体が設けられ、かつ他方の嵌着縁面の端縁が中途から上記嵌合用凸縁部の突出高さの範囲内で適宜角度で切り欠いた傾斜縁面に形成されており、ケース本体とケース蓋体の嵌合時の合わせ面に上記傾斜縁面による傾斜隙間部が生じるように形成されていることを特徴とする食品ケース。
【請求項２】
上記食品ケースが正三角形状に形成されており、嵌合用凸縁部外面の係止突起体が、上記正三角形の各辺に相当する周縁部の略中央部に夫々設けられ、他方の嵌着縁面の端縁が上記係止突起体と対応する正三角形の各辺略中央部から適宜角度で切り欠いて傾斜縁面に形成されていることを特徴とする請求項１に記載の食品ケース。
【発明の詳細な説明】
【０００１】
【産業上の利用分野】
本発明は、お弁当のおむすびを簡単に作ったり、あるいは作ったおむすびを１個づつ入れてハイキングなどの行楽に持ち運びすることができる食品ケースに関するものであり、特に小さな子供でも簡単に開けておむすびを取り出すことが出来る食品ケースに関するものである。
【０００２】
【従来の技術】
従来、お弁当のおむすび等を入れて持ち運びするための食品ケースとしては、お弁当箱が一般的であるが、おにぎりを何個も同じ容器に入れると湿気でくっつき合って取り出しにくくなるため、１個づつラッピングしていれることがおこなわれている。
【０００３】
一方、ハイキングや釣りなどでは、おむすびを１個づつ入れて持ち運びすることが、多くのおむすびを各人に分散させて持たせることができるので持ち運びに負担がかからないとともに、好きなときに、好きな場所で１個づつ取り出すことができて便利であり、このような容器としては、例えば図７に示すように、ご飯をおむすび型に詰めて持ち運びするプラスチック容器などが提供されている。
【０００４】
【発明が解決しようとする課題】
しかしながら、上記従来のおむすび用容器は、おむすびを半分に割ったような形態で形成されており、蓋部分20が外れないようにフック部分21を設けて蓋部分と底に相当する本体部分22とを接合する構造にして形成されており、このフック部分21が中に詰めたご飯の圧力で簡単に外れないように固定させているために、子供、特に幼稚園児童などの子供にとっては、どうしても蓋部分が開けにくいような構造になってしまっていた。
【０００５】
したがって、ハイキングなどに持って行く場合には、大人にとっては都合がよいが、子供にとっては蓋部分を開けるのがひと苦労であり、逆に子供でも簡単に開けることができるような弱い止め方で接合しておくと持ち運びしている時に止め具が外れてしまうなどの問題があった。
【０００６】
本発明は、上記従来の問題点に鑑みてなされたものであり、おむすびを１個づつ入れて持ち運びすることができる食品ケースで、ハイキングなどの持ち運び時には蓋が外れる心配がなく、しかも、子供の力でも簡単に蓋部分を開けることができる食品ケースを提供することを目的とするものである。
【０００７】
【課題を解決するための手段】
上記目的を達成するために、本発明は、おむすびやお惣菜等を入れて持ち運びされる三角形あるいは俵形、長方形、菱形などの形状の食品ケースであって、該食品ケースの略中央部でケース本体とケース蓋体とに２分割されており、上記ケース本体とケース蓋体の合わせ面の内、ケース本体とケース蓋体のいずれか一方に適宜高さの嵌合用凸縁部が形成され、他方に上記嵌合用凸縁部に嵌着される嵌着縁面が形成されているとともに、該嵌合用凸縁部外面又は嵌着縁面内面に係止突起体が設けられ、かつ他方の嵌着縁面の端縁が中途から上記嵌合用凸縁部の突出高さの範囲内で適宜角度で切り欠いた傾斜縁面に形成されており、ケース本体とケース蓋体の嵌合時の合わせ面に上記傾斜縁面による傾斜隙間部が生じるように形成されていることを特徴とする食品ケースであり、ケース本体とケース蓋体の合わせ面における傾斜縁面による傾斜隙間部を押さえることで、係止突起体を支点としてケース本体とケース蓋体との嵌合が離れるようにした食品ケースである。
【０００８】
また、請求項２の発明は、上記食品ケースが正三角形状に形成されており、嵌合用凸縁部外面の係止突起体が、上記正三角形の各辺に相当する周縁部の略中央部に夫々設けられ、他方の嵌着縁面の端縁が上記係止突起体と対応する正三角形の各辺略中央部から適宜角度で切り欠いて傾斜縁面に形成されていることを特徴とするものであり、正三角形の形状にすることで、ケース本体とケース蓋体の方向をどの方向に向けてもケース本体とケース蓋体との嵌合およびケース蓋体の取り外しが簡単に行えるようにしたものである。
【０００９】
【作用】
すなわち、本発明の食品ケースは、２分割したケース本体とケース蓋体との嵌合が嵌合用凸縁部と案内用凹縁部とで行われるとともに、該嵌合用凸縁部外面又は嵌着縁面内面に係止突起体が設けられているので、持ち運び時にはケース本体とケース蓋体とが嵌合と係止突起体の係合によって外れることがない。
【００１０】
また、おむすびなどの中のものを取り出すときには、案内用凹縁部の合わせ面が中途から上記嵌合用凸縁部の突出高さの範囲内で適宜角度の傾斜縁面に形成されてケース本体とケース蓋体の合わせ面に上記傾斜縁面による傾斜隙間部が設けられているので、ケース蓋体を上記傾斜隙間部が閉じるように押し下げると、中途の傾斜縁部が係止突起体を支点として、他方の端部を押し開けてケース本体とケース蓋体との間で係合している係合突起体の係合を解除するように作用して、ケース本体とケース蓋体との嵌合が簡単に外れて、子供の弱い力でもケース蓋体を容易に開けることができるようになる。
【００１１】
また、請求項２の発明によれば、上記食品ケースが正三角形状に形成されており、嵌合用凸縁部外面の係止突起体が、上記正三角形の各辺に相当する周縁部の略中央部に夫々設けられているので、ケース本体とケース蓋体の方向をどの方向に向けてもケース本体とケース蓋体との形状が合致して両者の嵌合が簡単に行えるものである。また、嵌着縁面の端縁が上記係止突起体と対応する正三角形の各辺略中央部から適宜角度で切り欠いて傾斜縁面に形成されているので、ケース蓋体の取り外し時にケース蓋体の傾斜縁面による傾斜隙間部を押さえることで、係止突起体が正三角形の２辺の中央部を支点としてケース本体とケース蓋体との嵌合が離れるように回動させることができ、小さな力で係止突起体の係合を解除してケース本体とケース蓋体との取り外しが簡単に行えるものである。
【００１２】
【実施例】
以下、本発明をその一実施例を示す図面に従って説明する。図１および図２は、本発明の食品ケースを示し、おむすびやお惣菜等を入れて持ち運びするのに丁度いい１辺が約７ｃｍの丸みをおびた正三角形に形成した場合の食品ケースであり、該食品ケースの略中央部でケース本体１とケース蓋体２とに２分割されている。
【００１３】
上記ケース本体１には、ケース蓋体２との合わせ面に相当する周縁に、高さが約６ｍｍの嵌合用凸縁部３が全周に亘って一体に成形されている。また、ケース蓋体２側には、上記ケース本体１の嵌合用凸縁部３に嵌着される合わせ面に相当する周縁が僅かに傾斜して薄肉にした嵌着縁面４に形成されている。
【００１４】
また、上記ケース蓋体２の嵌着縁面４の内面には、上記係止突起体５，５，５と相対する嵌着凹部６，６，６が開口面に沿うように水平状に細長に夫々設けられている。さらに、ケース蓋体２の嵌着縁面４は、正三角形状の３辺の内の２辺の略中央部から、その２辺で挟まれた角部７に向かって約５〜８度の角度で傾斜させて切り欠いた切り欠き傾斜縁面８が形成されている。
【００１５】
この切り欠き傾斜縁面８は、嵌着縁面４の嵌着凹部６の下方位置を始点8aにして形成されており、ケース本体１とケース蓋体２とを嵌合させた時に、両者の合わせ面で上記傾斜縁面８による傾斜隙間部９が形成されるようになる。
【００１６】
このとき、傾斜隙間部９は、係止突起体５と嵌着凹部６の係止部分の下方から緩やかに傾斜しており、ケース本体１の嵌合用凸縁部３の高さ以下で設けてあるので、ケース蓋体２とケース本体１の間が開くことはない。また、中のものを取り出す場合には、図３に示す如く、ケース蓋体２の角部７を押し下げると上記傾斜縁面８の始点8aを支点にして前記支点上部の細長に形成した係止突起体５と嵌着凹部６の凹凸嵌合部５，６が捻じ上げられ、同時に上記角部７とは反対側の側辺10を押し上げるように回動させてケース本体１の係止突起体５，５，５とケース蓋体２の嵌着凹部６，６，６の係合を解除させるものである。したがって始点8aの支点と上記係止突起体５および嵌着凹部６とは上下に近接して設けている。
【００１７】
この係止突起体５，５，５と嵌着凹部６，６，６の係合の解除によってケース本体とケース蓋体との嵌合が離れるようになるり、僅かな力でケース本体１とケース蓋体２を分離させることができるようになる。
【００１８】
次に、上記食品ケースを用いて、おむすびを作る手順について説明する。まず、図４に示すようにケース本体１に樹脂フィルムなどのラップ材料を敷いて適量のご飯を盛りつける。この時、必要に応じて海苔を敷込んだり、おにぎりの具を入れておきラップ材料を被せながら形を整える。
【００１９】
次に、図５の如くケース蓋体２を被せてケース本体１の嵌合用凸縁部３にケース蓋体２の嵌着縁面４を嵌着させると同時に、嵌合用凸縁部３の係止突起体５，５，５とケース蓋体２の嵌着凹部６，６，６とを係合させて両者を一体化する。この状態でおにぎりが完成するとともに食品ケースへの収容が完了して、１個づつ持ち運び出来るようになる。
【００２０】
また、ハイキング先に着いてからの昼食時には、前述の如く各食品ケースのケース蓋体２の角部７を押し下げて食品ケースを開いておにぎりを取り出すものである。なお、上記ケースを正三角形状にするとケース本体１と蓋体２との嵌合の際方向性がなく取扱いに便利である。
【００２１】
以上の実施例では、正三角形状の形状にした場合について説明したが、本発明の食品ケースは、上記形状に限定されるものではなく、正方形や菱形、長方形、俵型など適宜形状に適用してもよい。例えば、おむすびの形状として一般的な俵型にした場合には、図６に示すように、ケース本体１およびケース蓋体２を楕円形の俵型にしておき、このケース蓋体２の短辺側の端部に傾斜縁面８を設けて傾斜隙間部９を形成する。なお、図６において前記実施例と同一部分については同一番号を付して説明を省略する。また、方形状や菱形状のものも何ら構成上変わるものではない。
【００２２】
また、いずれの実施例おいても、ケース本体１側に嵌合用凸縁部３を成形し、ケース蓋体２側に傾斜させて薄肉にした嵌着縁面４を形成した場合を例にして説明したが、ケース本体１側に薄肉にした嵌着縁面４を形成し、ケース蓋体２側に嵌合用凸縁部３を成形してもよい。また、細長形状に形成した係止突起体５，５，５と嵌着凹部６，６，６とは、前記実施例とは逆の関係にして嵌着縁面４の内面に係止突起体５，５，５を設けておき、嵌合用凸縁部３の外面に嵌着凹部６，６，６を夫々設けておいてもよい。
【００２３】
また、本発明の食品ケースは、おむすび用として最も適しているが、おむすび収容ケース以外に、おかず類やお菓子類などハイキングに持っていく食品類などを入れて持ち運びしてもよく、中に入れておくものは適宜選択できるものであり限定されない。
【００２４】
【発明の効果】
以上述べた如く、本発明は、おむすびやお惣菜等を入れて持ち運びされる三角形あるいは俵形など適宜形状の食品ケースであって、該食品ケースの略中央部でケース本体とケース蓋体とに２分割されており、上記ケース本体とケース蓋体の合わせ面の内、ケース本体とケース蓋体のいずれか一方に適宜高さの嵌合用凸縁部が形成され、他方に上記嵌合用凸縁部に嵌着される嵌着縁面が形成されているとともに、該嵌合用凸縁部外面又は嵌着縁面内面に係止突起体が設けられ、かつ他方の嵌着縁面の端縁が中途から上記嵌合用凸縁部の突出高さの範囲内で適宜角度で切り欠いた傾斜縁面に形成されており、ケース本体とケース蓋体の嵌合時の合わせ面に上記傾斜縁面による傾斜隙間部が生じるように形成されていることを特徴とする食品ケースであるので、ケース本体とケース蓋体の合わせ面における傾斜縁面による傾斜隙間部を閉じるように押さえることで、係止突起体を支点としてケース本体とケース蓋体との嵌合が小さな力で容易に分離できるので、幼稚園の園児のような小さな子供でも簡単に蓋をあけることができる。また、持ち運びの時には、嵌合用凸縁部外面に係止突起体が設けられているので、ケース本体とケース蓋体とが嵌合と係止突起体の係合によって外れることがない。
【００２５】
また、請求項２の発明は、上記食品ケースが正三角形状に形成されており、嵌合用凸縁部外面の係止突起体が、上記正三角形の各辺に相当する周縁部の略中央部に夫々設けられ、他方の嵌着縁面の端縁が上記係止突起体と対応する正三角形の各辺略中央部から適宜角度で切り欠いて傾斜縁面に形成されているので、ケース本体とケース蓋体の方向をどの方向に向けてもケース本体とケース蓋体との形状が合致して両者の嵌合が簡単に行えるとともに、ケース蓋体の取り外し時にケース蓋体の傾斜縁面による傾斜隙間部を押さえることで、係止突起体が正三角形の２辺の中央部を支点としてケース本体とケース蓋体との嵌合が離れるように回動させることができ、小さな力で係止突起体の係合を解除してケース本体とケース蓋体との取り外しが簡単に行えるという利点を有するものである。
【図面の簡単な説明】
【図１】本発明の食品ケースの実施例を示す斜視図
【図２】図１の食品ケースの蓋を閉じた状態を示す側面図
【図３】図１の食品ケースの蓋を開ける時の状態を説明する斜視図
【図４】図１の食品ケースでおにぎりを作る時の使用法を説明する斜視図
【図５】図１の食品ケースでおにぎりを作る時の完成状態を説明する斜視図
【図６】本発明の食品ケースの他の実施例を示す側面図
【図７】従来の容器を示す側面図
【符号の説明】
１    ケース本体
２    ケース蓋体
３    嵌合用凸縁部
４    嵌着縁面
５    係止突起体
６    嵌着凹部
７    角部
８    傾斜縁面
９    傾斜隙間部
【図１】
0003665094.tif 000002
【図２】
0003665094.tif 000003
【図３】
0003665094.tif 000004
【図４】
0003665094.tif 000005
【図５】
0003665094.tif 000006
【図６】
0003665094.tif 000007
【図７】
0003665094.tif 000008